(57)【特許請求の範囲】
【請求項１】
電子連動装置本体からの変化情報を信号モニタ装置でその内部時計の時刻情報に基づいて取り込み、その取り込んだ変化情報を、これにシーケンス情報を付加する編集処理を行った後、メモリに記憶し、そのメモリに記憶されている情報を必要に応じて表示画面又はプリンタに出力する電子連動装置の動作状態監視装置において、
前記電子連動装置本体においては、前記変化情報にその電子連動装置本体の定周期処理に係る周期カウンタ情報を付加する手段を備え、
前記信号モニタ装置においては、前記電子連動装置本体から取り込んだ前記変化情報及び周期カウンタ情報と、その取り込んだ時の前記内部時計の時刻情報とに対してシーケンス情報を付加する編集処理を行う手段と、その編集処理を行った後の情報を前記メモリに記憶する手段と、前記メモリに記憶されている情報を出力させるときに、出力させたい時刻及び対象リレーを指定する手段と、指定された時刻に対応する前記内部時計の時刻情報及び指定された対象リレーの変化情報、周期カウンタ情報及びシーケンス情報を前記メモリから読み出して出力する手段とを備えてなる
ことを特徴とする電子連動装置の動作状態監視装置。
【発明の詳細な説明】
【０００１】
【発明の属する技術分野】
本発明は、電子連動装置の動作状態を監視する装置に関する。
【０００２】
【従来の技術】
図２（ａ）は、従来の電子連動装置の動作を解析するときに用いられる信号モニタ装置１０を機能別に表したブロック図である。
【０００３】
この信号モニタ装置１０は、周知のパーソナルコンピュータによって構成されている。したがって、出力装置として、図示しないが表示画面を有しているとともに、プリンタが接続できるように構成されている。そして、この信号モニタ装置１０は、電子連動装置本体ａとシリアル回線Ｌを介して接続されていて、電子連動装置本体ａからのリレー等の動作の変化情報を取込めるように構成されている。
【０００４】
一般的に、電子連動装置本体ａは、内部時計を有しておらず、１００msあるいは２００msのように所定の一定の周期で処理できるように構成されている。これに対して、信号モニタ装置１０は、内部時計１０ａの１秒毎の時計信号に基づいて電子連動装置本体ａからの変化情報を取込むように構成されている。そして、その取込んだ情報を編集処理回路１０ｂでシーケンスデータ（シーケンスNo. ）を付すための編集処理を行った後、メモリ１０ｃに記憶するように構成されている。
【０００５】
図２（ｂ）は、メモリ１０ｃに記憶されている情報を必要に応じて、例えば、障害探究や動作シーケンスの確認時にプリンタでアウトプットした一例の一部分である。ここでは、１９９８年６月１日１０時１０分１秒（９８／０６／０１  １０：１０：０１）における電子連動装置本体ａの変化情報が示されていて、８Ｅ，８Ｆ，９０及び９１はシーケンスNo. を示している。また、このプリントアウトの最上段について説明すると、上述の時刻において、進路名１Ｒのリレーは、扛上「１」していることを示している。なお、このプリントアウトにおいて「０」は、リレーが落下していることを示している。
【０００６】
【発明が解決しようとする課題】
しかしながら、上記従来の信号モニタ装置は、内部時計で規制される１秒毎の変化情報しか出力することができなかったので、その１秒間中における変化状態を確認するのに不便を来していた。
【０００７】
例えば、電子連動装置本体の定周期処理時間（スキャンタイム）が２００msの場合、５スキャンを１回の変化として表示してしまうので、１秒間のどの段階で変化しているかを確認することが困難であった。
【０００８】
このような不便を解消するために、信号モニタ装置における情報の取込時間間隔を短くすることも考えられるが、このように情報の取込時間間隔を短くすると処理負荷が増大してしまうという新たな問題点が発生してしまう。
【０００９】
そこで、本発明は、上記欠点を解決するためになされたものであって、その目的は、リレー等の動作の変化情報を電子連動装置本体のスキャンタイムの精度で信号モニタ装置から出力することができるようにした電子連動装置の動作状態監視装置を提供することにある。
【００１０】
【課題を解決するための手段】
本発明は、上記目的を達成するために、電子連動装置本体からの変化情報を信号モニタ装置でその内部時計の時刻情報に基づいて取り込み、その取り込んだ変化情報を、これにシーケンス情報を付加する編集処理を行った後、メモリに記憶し、そのメモリに記憶されている情報を必要に応じて表示画面又はプリンタに出力する電子連動装置の動作状態監視装置において、前記電子連動装置本体においては、前記変化情報にその電子連動装置本体の定周期処理に係る周期カウンタ情報を付加する手段を備え、前記信号モニタ装置においては、前記電子連動装置本体から取り込んだ前記変化情報及び周期カウンタ情報と、その取り込んだ時の前記内部時計の時刻情報とに対してシーケンス情報を付加する編集処理を行う手段と、その編集処理を行った後の情報を前記メモリに記憶する手段と、前記メモリに記憶されている情報を出力させるときに、出力させたい時刻及び対象リレーを指定する手段と、指定された時刻に対応する前記内部時計の時刻情報及び指定された対象リレーの変化情報、周期カウンタ情報及びシーケンス情報を前記メモリから読み出して出力する手段とを備えてなることを特徴としている。
【００１１】
【発明の実施の形態】
以下、本発明の実施の形態を図面に基づいて説明する。本発明に係る電子連動装置の動作状態監視装置は、電子連動装置本体ａと信号モニタ装置１とから構成されている。図１（ａ）は、一実施の形態に係る信号モニタ装置１を機能別に表したブロック図である。
【００１２】
信号モニタ装置１は、周知のパーソナルコンピュータによって構成されていて、出力装置として、図示しないが表示画面を有しているとともに、プリンタが接続できるように構成されている。そして、信号モニタ装置１は、電子連動装置本体ａとシリアル回線Ｌを介して接続されていて、電子連動装置本体ａからのリレー等の動作の変化情報を取込めるように構成されている。
【００１３】
電子連動装置本体ａは、２００msの一定の周期で処理できるように構成されている。そして、この電子連動装置本体ａからは、信号モニタ装置１に向けて変化情報及び周期カウンタ情報を送出できるように構成されている。
【００１４】
信号モニタ装置１は、内部時計１ａの１秒毎の時計信号及び電子連動装置本体ａからの前記情報（変化情報及び周期カウンタ情報）に基づいて編集処理回路１ｂでシーケンスデータ（シーケンスNo. ）を付すための編集処理を行った後、メモリ１ｃに記憶できるように構成されている。
【００１５】
図１（ｂ）は、メモリ１ｃに記憶されている情報を出力した状態の一例である。この出力は、信号モニタ装置１に設けられた図示しない表示画面又はプリンタを介して行うことができる。
【００１６】
この情報の出力は、障害探究又は動作シーケンスを確認したい時間（時刻）及び対象リレーをキーボードやマウス等の入力器（図示せず）を介して指定することにより行われる。図１（ｂ）においては、リレー１Ｒ〜５４Ｔが指定され、解析時刻（Ｘ点）として１０時１０分１秒（１０：１０：０１）が指定されている。もちろん、この解析時刻は、入力器を介してスクロールすることができる。
【００１７】
図１（ｂ）中、１Ｒは進路名、１ＲＺは進路照査、１ＲＡＳは接近鎖錠、５２ＴＲＳは軌道回路５２の右方向鎖錠、１ＲＨは信号機現示、５２Ｔは軌道回路５２、１ＲＡＴは軌道回路１Ｒ及び５４Ｔは軌道回路を示し、タイムチャートの立上り部分は「１」（扛上）を意味し、また、立下り部分は「０」（落下）を意味している。また、内部時計１ａで付された時刻（Ｘ点〜Ｘ点＋１）間の０．２，０．４，０．６及び０．８は、電子連動装置本体ａから受信した周期カウンタ情報に基づく周期（２００ms）に対応している。そして、上述のリレーのうち、１Ｒ〜１ＲＡＴは、１０：１０：０１（Ｘ点）〜１０：１０：０２（Ｘ点＋１）間に変化のあったリレーである。
【００１８】
今、例えば、リレー１ＲＡＳに注目してみると、このリレー１ＲＡＳはシーケンスNo. が編集処理回路１ｂにおいて８Ｆが付されているので、（シーケンスNo. は、８Ｅ，８Ｆ，９０，９１，９７，９９の順に付される。）、そのリレー１ＲＡＳの変化点は、Ｘ点＋（８Ｆ−８Ｅ）×０．２となり、Ｘ点から０．２秒後、すなわち、１０：１０：１．２となる。
【００１９】
図１（ｂ）のタイムチャートから明らかなように、１０：１０：０１〜１０：１０：０２間の１秒間中における各リレー１Ｒ〜５４Ｔの動作状態が一目瞭然となり、きめ細かな動作状態が分かることにより、その後の障害対策等に資することができる。
【００２０】
なお、この図１（ｂ）を用いて従来の各リレー１Ｒ〜１ＲＡＴの動作状態を説明すれば、１０：１０：０１のＸ点において、各リレー１Ｒ〜１ＲＡＴが全て同時に変化するように表示される。したがって、リレー相互間の動作状態の関係については、シーケンスNo. から推定する必要があった。
【００２１】
【発明の効果】
本発明によれば、電子連動装置本体からの変化情報を信号モニタ装置でその内部時計の時刻情報に基づいて取り込み、その取り込んだ変化情報を、これにシーケンス情報を付加する編集処理を行った後、メモリに記憶し、そのメモリに記憶されている情報を必要に応じて表示画面又はプリンタに出力する電子連動装置の動作状態監視装置において、前記電子連動装置本体においては、前記変化情報にその電子連動装置本体の定周期処理に係る周期カウンタ情報を付加する手段を備え、前記信号モニタ装置においては、前記電子連動装置本体から取り込んだ前記変化情報及び周期カウンタ情報と、その取り込んだ時の前記内部時計の時刻情報とに対してシーケンス情報を付加する編集処理を行う手段と、その編集処理を行った後の情報を前記メモリに記憶する手段と、前記メモリに記憶されている情報を出力させるときに、出力させたい時刻及び対象リレーを指定する手段と、指定された時刻に対応する前記内部時計の時刻情報及び指定された対象リレーの変化情報、周期カウンタ情報及びシーケンス情報を前記メモリから読み出して出力する手段とを備えているので、信号モニタ装置の時刻情報の周期、例えば１秒よりも短い周期で電子連動装置本体において発生する変化情報を出力することができるため、従来の信号モニタ装置では不可能であったきめの細かい解析を行うことができる。
【図面の簡単な説明】
【図１】  （ａ）は、本発明の一実施の形態に係る信号モニタ装置を機能的に示したブロック図、（ｂ）は、出力状態を示すタイムチャートである。
【図２】  （ａ）は、従来の信号モニタ装置を機能的に示したブロック図、（ｂ）は、出力状態を示すタイムチャートである。
【符号の説明】
１    信号モニタ装置
１ａ  内部時計
１ｂ  編集処理回路
１ｃ  メモリ
ａ    電子連動装置本体
【図１】
0004136192.tif 000002
【図２】
0004136192.tif 000003